(57)【要約】【課題】従来のプラヅノ以上の反射効率を備え、イカの誘引効果が高いイカヅノを提供する。【解決手段】プラスチック樹脂又は金属材にて疑似餌本体１を形成する。該疑似餌本体１が捩られ、又は屈曲されることで広角反射面３を構成する。疑似餌本体１を棒状又は帯状に形成する。疑似餌本体１の長手方向に沿った軸を中心として捩ることで、広角反射面３を構成する。疑似餌本体１を、透明又は半透明なプラスチック材にて角柱形状に形成する。該疑似餌本体１の長手方向に沿った軸を中心として疑似餌本体１の一部を捩って広角反射面３を構成する。【選択図】  図１
0003168395.tif 000002
【実用新案登録請求の範囲】
【請求項１】
疑似餌本体の一端に掛け針が設けられイカ釣り用の擬似針として使用するイカヅノにおいて、疑似餌本体はプラスチック樹脂又は金属材にて形成され、該疑似餌本体が捩られ、又は屈曲されることで構成した広角反射面を備えたことを特徴とするイカヅノ。
【請求項２】
前記疑似餌本体は、棒状又は帯状に形成され、該疑似餌本体の長手方向に沿った軸を中心として捩られて前記広角反射面を構成した請求項１記載のイカヅノ。
【請求項３】
前記疑似餌本体は、透明又は半透明なプラスチック材にて角柱形状に形成され、該疑似餌本体の長手方向に沿った軸を中心として疑似餌本体の一部が捩られて前記広角反射面を構成した請求項１記載のイカヅノ。
【請求項４】
前記疑似餌本体は、アルミニウム材又はステンレス材にて帯状に形成され、該疑似餌本体の長手方向に対して直交する波形状を形成するように交互に屈曲されて前記広角反射面を構成した請求項１記載のイカヅノ。
【考案の詳細な説明】
【技術分野】
【０００１】
本考案は、ケンサキイカ・ヤリイカ・スルメイカなどのイカを釣る擬餌針であるイカヅノに係り、特に、棒状又は短冊状に形成された疑似餌本体の一端に掛け針を設けたイカヅノに関するものである。
【背景技術】
【０００２】
イカを釣る擬餌針として使用されるイカヅノは、特に反射効率が誘引効果を左右するといわれている。一般に、反射効率の良いものとして、プラスチック製のイカヅノ、所謂、プラヅノが使用されている。
【０００３】
現在のプラヅノは、ポリカーボネート、ポリエチレン、塩化ビニール等の合成樹脂材を、金型成型や機械加工で棒状又は短冊状の疑似餌本体を形成し、この疑似餌本体の先端に掛け針を設けたものである。
【０００４】
このようなプラヅノは、反射効率が良いほど集魚効率が高くなるので、この反射効率をより高める工夫が施されている。例えば、特許文献１にイカヅノの表面を透明なエポキシ樹脂或は紫外線硬化樹脂等で被覆処理することが提案されている。
【０００５】
この特許文献１のプラヅノによると、疑似餌本体表面に透明樹脂を塗布し硬化させると、疑似餌本体表面の微細な凹凸に透明樹脂が充填されて凹凸部が消滅するので、光の乱反射及び散乱が軽減される。更に、硬化した透明樹脂表面は樹脂本来の平滑な表面状態を呈するので、乱反射等に妨げられない樹脂本来の反射効率を高めるというものである。
【０００６】
また、特許文献２のプラヅノでは、異なる色の着色剤を含むプラスチックにより、複数の色違いの着色部分を配置した疑似餌本体を構成している。そして、このプラヅノを形成するには、一つの金型に対して複数の射出シリンダを接続し、各射出シリンダからそれぞれ互いに異なる色の着色剤を含むプラスチック材料を金型の同一のキャビティへ交互に射出して疑似餌本体を成形するものである。
【０００７】
この結果、着色剤は成形された疑似餌本体においてプラスチックの内部に含有されることになるので、使用中に色が落ちて模様が消えることがない。また、一つの金型に対して複数の射出から同一のキャビティへ色の異なる複数のプラスチック材料を交互に射出することによって、金型を色の数だけ備える必要がなく、装置が簡素化するとともに、極めて容易に且つ効率良く製造できるというものである。
【０００８】
また、特許文献３には、疑似餌本体の外側に飾りを巻き付けたプラヅノが記載されている。このプラヅノでは、この飾りが誘引効果を高めるものである。
【先行技術文献】
【特許文献】
【０００９】
【特許文献１】実用新案登録第３１０２６５７号公報
【特許文献２】特開平１０−２７６６２２号公報
【特許文献３】実開平３−１８７５９号公報
【考案の概要】
【考案が解決しようとする課題】
【００１０】
従来のプラヅノは、他の材質のイカヅノと比べて反射効率が最も高いとされているが、各特許文献のように、その反射効率を高め、あるいは誘引効果を高めるために様々な工夫がなされている。ところが、いずれのプラヅノも棒状又は短冊状の疑似餌本体の表面が反射する際に、光源からの反射角度が制限されるものになっていた。
【００１１】
すなわち、特許文献１のプラヅノは、疑似餌本体表面の乱反射及び散乱を軽減し、硬化した透明樹脂表面は樹脂本来の反射効率を高めるものであるから、疑似餌本体の反射角度は、光源に対する疑似餌本体の向きに制限されるものである。
【００１２】
また、特許文献２のプラヅノは、疑似餌本体の着色剤はプラスチックの内部に含有されるので、この疑似餌本体の反射角度も、光源に対する疑似餌本体の向きに制限されることになる。
【００１３】
更に、特許文献３のプラヅノは、疑似餌本体の外側に巻き付けた飾りが誘引効果を高めるものなので、疑似餌本体表面の反射効率は、特許文献１や特許文献２のプラヅノと同等か、あるいは逆に、疑似餌本体表面の反射効率がこの飾りによって妨げられるおそれがある。いずれにしても、疑似餌本体の反射角度は、光源に対する疑似餌本体の向きに制限されることになる。
【００１４】
このように、従来のプラヅノでは、疑似餌本体の表面が反射する際に、光源からの反射角度が制限されるので、光源に対して疑似餌本体が一定の向きにならなければ反射しないことになる。つまり、光源からの反射角度の条件が揃うまで周辺にいるイカを誘引することができないものであった。
【００１５】
そこで本考案は、上述の課題を解消すべく案出されたもので、従来のプラヅノ以上の反射光効率を備え、イカの誘引効果が高いイカヅノの提供を目的とするものである。
【課題を解決するための手段】
【００１６】
上述の目的を達成すべく本考案における第１の手段は、疑似餌本体１の一端に掛け針２が設けられイカ釣り用の擬似針として使用するイカヅノにおいて、疑似餌本体１はプラスチック樹脂又は金属材にて形成され、該疑似餌本体１が捩られ、又は屈曲されることで構成した広角反射面３を備えたことにある。
【００１７】
第２の手段の前記疑似餌本体１は、棒状又は帯状に形成され、該疑似餌本体１の長手方向に沿った軸を中心として捩られて前記広角反射面３を構成したものである。
【００１８】
第３の手段の前記疑似餌本体１は、透明又は半透明なプラスチック材にて角柱形状に形成され、該疑似餌本体１の長手方向に沿った軸を中心として疑似餌本体１の一部が捩られて前記広角反射面３を構成している。
【００１９】
第４の手段の前記疑似餌本体１は、アルミニウム材又はステンレス材にて帯状に形成され、該疑似餌本体１の長手方向に対して直交する波形状を形成するように交互に屈曲して前記広角反射面３を構成したものである。
【考案の効果】
【００２０】
本考案の請求項１によると、疑似餌本体１が捩られ、又は屈曲されることで構成した広角反射面３を備えることで、疑似餌本体１の向きが光源に対してどのような向きにあっても、広角反射面３が効率良く反射する。この結果、従来最も反射効率が良いとされていたプラヅノに比べてもイカの誘引効果が極めて高くなるものである。
【００２１】
請求項２のごとく、疑似餌本体１は、棒状又は帯状に形成され、該疑似餌本体１の長手方向に沿った軸を中心として捩られて前記広角反射面３を構成したことで、イカヅノ本来のシャクリなどの操作に伴って疑似餌本体１が回転しながら反射することになるので、より高い誘引効果を得ることができる。
【００２２】
請求項３によると、透明又は半透明なプラスチック材にて角柱形状に形成され、該疑似餌本体１の長手方向に沿った軸を中心として疑似餌本体１の一部が捩られて前記広角反射面３を構成しているので、従来のプラヅノの反射効率をより高めることができるものである。
【００２３】
請求項４では、アルミニウム材又はステンレス材にて帯状に形成され、該疑似餌本体１の長手方向に対して直交する波形状を形成するように交互に屈曲して広角反射面３を構成したものでは、金属材特有の反射効果によって、周囲のイカを効果的に誘引することができるものである。
【図面の簡単な説明】
【００２４】
【図１】本考案の一実施例を示す正面図である。
【図２】本考案の広角反射面を形成する前の状態示す正面図である。
【図３】本考案の他の実施例を示す側面図である。
【図４】本考案の他の実施例を示す正面図である。
【図５】本考案の使用状態を示す概略図である。
【考案を実施するための形態】
【００２５】
本考案によると、従来のプラヅノ以上の反射効率を備え、イカの誘引効果が高いイカヅノを提供することに成功したものである。
【００２６】
以下、本考案の実施例を説明する。本考案の基本構成は、疑似餌本体１の先端に掛け針２が設けられイカ釣り用の擬似針として使用するものである（図５参照）。図示例では、釣糸ＰにハリスＰ１を介して複数連結した状態を示しているが、釣糸Ｐに対する連結位置やハリスＰ１の形状等は任に変更することができる。
【００２７】
疑似餌本体１は、プラスチック樹脂又は金属材にて形成され、この疑似餌本体１に掛け針２と広角反射面３とを構成している（図１、図３、図４参照）。掛け針２は、イカ釣り用に構成された一般の掛け針と同じ形状を成しており、疑似餌本体１の先端に設けられている。一方、疑似餌本体１の基端部には、ハリスＰ１を連結する連結孔４を開穿している。
【００２８】
疑似餌本体１の形状は、主に、棒状又は帯状に形成されるものである。また、疑似餌本体１の材質は、ポリカーボネート、ポリエチレン、塩化ビニール等のプラスチック材や、あるいは、アルミニウム、ステンレス等の金属材が使用される。
【００２９】
広角反射面３は、疑似餌本体１が捩られ、又は屈曲されることで構成したもので、この広角反射面３によって、反射効率を高めるように構成している。
【実施例１】
【００３０】
図１に示す疑似餌本体１は、透明又は半透明なプラスチック材にて角柱形状に形成されている。そして、この疑似餌本体１の長手方向に沿った軸を中心として疑似餌本体１の一部が捩られており、この捩った部分に広角反射面３を構成したものである。
【００３１】
図示例では、疑似餌本体１先端の掛け針２がわを細くすると共に、疑似餌本体１の基端がわを太く形成した疑似餌本体１を予め形成する（図２参照）。次に、この太く形成した部分を複数回捩って広角反射面３を形成したものである（図１参照）。この疑似餌本体１の先端には、イカ釣り用に構成された掛け針２が設けられ、疑似餌本体１の基端部には、ハリスＰ１を連結する連結孔４を開穿している。
【実施例２】
【００３２】
図３、図４に示す疑似餌本体１は、アルミニウム材又はステンレス材にて帯状に形成されている。そして、帯状の疑似餌本体１を、長手方向に対して直交するように交互に屈曲し、波形状を成した広角反射面３を構成したものである。この疑似餌本体１にも、先端に、イカ釣り用に構成された掛け針２が設けられ、基端部に、ハリスＰ１を連結する連結孔４を開穿している。また、図示例の疑似餌本体１を更に長手方向に沿った軸を中心として捩ることも可能である（図示せず）。
【００３３】
尚、本考案の各構成は図示例に限定されるものではなく、疑似餌本体１や広角反射面３等の構成、及び疑似餌本体１の材質の変更は、本考案の要旨を変更しない範囲で任意に変更することができる。
【産業上の利用可能性】
【００３４】
本考案は、シャクリ用のイカヅノとして構成しているが、このほか、エサを撒き付けて使用する、所謂、イカスッテと称するイカ釣り用疑似針の構成に利用することも可能である。
【符号の説明】
【００３５】
Ｐ  釣糸
Ｐ１  ハリス
１  疑似餌本体
２  掛け針
３  広角反射面
４  連結孔
【図１】
0003168395.tif 000003
【図２】
0003168395.tif 000004
【図３】
0003168395.tif 000005
【図４】
0003168395.tif 000006
【図５】
0003168395.tif 000007